(57)【要約】      （修正有） 【課題】カップリング治療に使用する吸引具で、製造コストを低廉にできる簡単な構造で、且つ吸引力の微調整を容易に可能である器具を提供する。【解決手段】適宜大きさで下方が開口したシリンダ形状のカップ部１と、カップ部の内周壁に摺動可能に密嵌したピストン２１及びピストンロッドを螺軸２２としたピストン部２と、螺軸２２を螺合挿通する螺孔をカップ部１の上部に設けると共に、螺孔と螺軸２２を相対的に回転させてピストン２１をシリンダ内で移動させる回転ハンドル３１とを備えてなる。【選択図】図３
0003181231.tif 000002
【実用新案登録請求の範囲】
【請求項１】
適宜大きさで下方が開口したシリンダ形状のカップ部と、カップ部の内周壁に摺動可能に密嵌したピストン及びピストンロッドを螺軸としたピストン部と、螺軸を螺合挿通する螺孔をカップ部の上部に設けると共に、螺孔と螺軸を相対的に回転させてピストンをシリンダ内で移動させる回転ハンドルとを備えてなることを特徴とする吸引具。
【請求項２】
ピストンと螺軸を固定し、回転ハンドルに螺孔を付設してカップ部の上方部に回転自在に装着してなる請求項１記載の吸引具。
【請求項３】
螺軸を回転自在にピストンと連結し、カップ部の上方部に固定螺孔を設け、固定螺孔より突出する螺軸に回転ハンドルを装着してなる請求項１記載の吸引具。
【請求項４】
カップ部を透明体で形成してなる請求項１乃至３記載の何れかの吸引具。
【考案の詳細な説明】
【技術分野】
【０００１】
本考案は、吸い玉・カッピング療法に使用される吸引具に関するものである。
【背景技術】
【０００２】
吸い玉・カッピング療法は、周知のとおり中国伝統の医療手段で、人体の皮膚にカップ体を置き、カップ体内を負圧（疑似真空状態）にして吸着させ、人体に対して適宜な刺激を与えたり、当該吸着箇所の血液の循環を促進させる等の健康増進を図ることを目的とし、或いは吸着後の当該箇所の血流状態の変化を皮膚の状態変化で健康状態をチェックする目的等で採用されている。
【０００３】
このカッピング療法に使用される吸引具として、特許文献１（実開平７−１５０３４号公報）には、シリンダ型のカップ部と、カップ部の内周壁に密嵌するピストン部を備え、ピストン部にピストン部をカップ部の開口部から引き上げ付勢する発条を設け、ピストン部をカップ部の開口部の近くに位置させて、人体の皮膚にカップ部を当接してピストン部を開放すると、付勢力とカップ部内の負圧が拮抗する状態でカップ部が吸着状態となる器具が開示されている。
【０００４】
また特許文献２（登録実用新案３０４５７４６号公報）には、カップ体に吸引手動ポンプを連結し、カップ体を人体の皮膚に当接し、手動ポンプを操作してカップ体内の空気を吸引することで、カップ体内を負圧にする器具が開示されている。
【先行技術文献】
【特許文献】
【０００５】
【特許文献１】実開平７−１５０３４号公報。
【特許文献２】登録実用新案３０４５７４６号公報
【考案の概要】
【考案が解決しようとする課題】
【０００６】
前記の発条の付勢力を利用した特許文献１記載の手動型の吸引具は、吸引の程度を発条反発力に依存しており、負圧調整は、吸着開始時のピストン位置で定まり、微調整が困難である。而も全体の構造が複雑になり製造コストに課題がある。
【０００７】
また手動吸引ポンプを採用する吸引具は、吸引圧力を手動吸引ポンプの操作によって調整できるが、正確な調整は困難である。またカップ体からのポンプ連結箇所での逆流防止構造や吸引ポンプを必要とし、やはり製造コストに課題がある。
【０００８】
そこで本考案は、吸引負圧を容易に調整でき、且つ製造コストを格段抑えることのできる簡易な構造の吸引具を提案したものである。
【課題を解決するための手段】
【０００９】
本考案（請求項１）に係る吸引具は、適宜大きさで下方が開口したシリンダ形状のカップ部と、カップ部の内周壁に摺動可能に密嵌したピストン及びピストンロッドを螺軸としたピストン部と、螺軸を螺合挿通する螺孔をカップ部の上部に設けると共に、螺孔と螺軸を相対的に回転させてピストンをシリンダ内で移動させる回転ハンドルとを備えてなることを特徴とするものである。
【００１０】
而してカップ部を人体の適宜箇所に伏せて置き、回転ハンドルを回転操作すると、螺孔と螺軸とが相対的に回転し、それによってピストンが上昇して、カップ部の下方空間が負圧になりカップ部が置かれた箇所（人体）は吸引されることになり、吸引力はピストンの位置調整で変化する。
【００１１】
また本考案（請求項２）に係る吸引具は、ピストンと螺軸を固定し、回転ハンドルに螺孔を付設してカップ部の上方部に回転自在に装着してなるもので、回転ハンドルを回転させると、螺孔が回転して螺軸を引き上げるものである。
【００１２】
また本考案（請求項３）に係る吸引具は、螺軸を回転自在にピストンと連結し、カップ部の上方部に固定螺孔を設け、固定螺孔より突出する螺軸に回転ハンドルを装着してなるもので、回転ハンドルを回転操作すると螺軸が回転してピストンが上昇するものである。
【００１３】
また本考案（請求項４）に係る吸引具は、特にカップ部を透明体で形成してなるもので、吸引時の皮膚の状態を視認できるものである。
【考案の効果】
【００１４】
本考案は上記のとおりカップ部内のピストンを、手動の回転ハンドルの操作で動作させて器具を当接した範囲を吸引させるもので、ハンドル操作の微妙な操作で吸引圧を容易に調整できると共に、簡易な構造のためにその製造コストを低廉にすることができたものである。
【図面の簡単な説明】
【００１５】
【図１】本考案の第一実施形態の分解斜視図。
【図２】同全体斜視図。
【図３】同断面図。
【図４】同使用状態の説明図。
【図５】同第二実施形態の断面図。
【考案を実施するための形態】
【００１６】
次に本考案の実施形態について説明する。図１乃至４は第一実施形態を示すもので、この実施形態は可動螺孔タイプであり、カップ部１と、ピストン部２と、操作部３で構成される。
【００１７】
カップ部１は、人体への吸引治療等に適する大きさで、下方を全面開口したシリンダ形状で、透明樹脂体で形成したもので、上部に装着孔１１を設けて、操作部３を可動装着しているものである。
【００１８】
ピストン部２は、カップ部１の内周壁に摺動可能に密嵌したピストン２１とピストンロッドを螺軸２２で構成されるもので、ピストン２１と螺軸２２は供回りするように固定連結しているものである。
【００１９】
操作部３は、装着孔１１に内外（上下）から連結して回転自在に装着可能な構造を備えた上方部材（回転ハンドル）３１及び下方部材３２を備えると共に、上下部材３１，３２の中心には上下貫通する螺孔３３を設けたもので、前記上下部材３１，３２を装着孔１１に回転自在に装着する。そして前記螺孔３３に螺軸２２を螺合装着するものである。
【００２０】
前記器具の使用は、図４に例示するようにカップ部１を人体Ａの適宜箇所に伏せて置き、回転ハンドル（上方部材）３１を回転操作すると、螺孔３３が回転して螺軸２２を引き上げることになり、これに伴ってピストン２１が上昇する。
【００２１】
ピストン２１が上昇するとカップ部１のピストン２１の下方空間が負圧になりカップ部１が置かれた箇所（人体）Ａは吸引されることになる。この吸引力は回転ハンドル３１による回転操作によるピストン２１の位置によって調整できるものである。
【００２２】
また図５は本考案の第二実施形態で、基本的構成は第一実施形態と同様であるが、固定螺孔を採用したものである。
【００２３】
即ちカップ部１ａの上部に螺孔１２を設けると共に、ピストン部２ａにおけるピストン２１ａとピストンロッドとなる螺軸２２ａは、固定連結せずに螺軸２２ｂが自由に回転できるように、螺軸２２ａの下端をピストン２１ａに連結する。
【００２４】
操作部３ａは、回転ハンドルで螺軸２２ａの上端に一体に形成するか或いは固定連結したものである。
【００２５】
従って回転ハンドル（操作部）３ａを回転操作すると、固定螺孔１２に対して螺軸２２ａが回転してピストン２１ａを引き上げて吸引力を発生させるものである。
【符号の説明】
【００２６】
１，１ａ    カップ部
１１      装着孔
１２      固定螺孔
２，２ａ    ピストン部
２１，２１ａ    ピストン
２２，２２ａ    螺軸
３      操作部
３ａ    操作部（回転ハンドル）
３１    上方部材（回転ハンドル）
３２    下方部材
３３    螺孔
【図１】
0003181231.tif 000003
【図２】
0003181231.tif 000004
【図３】
0003181231.tif 000005
【図４】
0003181231.tif 000006
【図５】
0003181231.tif 000007